(57)【要約】【課題】不要な回線処理が防止され、低消費電力化が図られた消費電力低減回路を提供すること。【解決手段】外部から入力された回線データの処理を行う回路であって、回線データの運用・非運用を判別する回線運用情報を保持するとともに運用情報制御部からの制御信号に基づいて回線運用情報を出力する回線運用情報保持部と、回線データ及び回線運用情報保持部から出力された回線運用情報とが入力され、回線運用情報に基づいて回線データをそのままの状態で出力する、または固定して出力する信号判別部と、信号判別部から回線データがそのままの状態で入力された場合のみ所定の回線処理を行うとともに該回線処理後のデータを出力する回線処理部とを備える。【選択図】      図１
2004213403.tif 000002
【特許請求の範囲】
【請求項１】
外部から入力された回線データの処理を行う回路であって、
前記回線データの運用・非運用を判別する回線運用情報を保持するとともに運用情報制御部からの制御信号に基づいて前記回線運用情報を出力する回線運用情報保持部と、
前記回線データ及び前記回線運用情報保持部から出力された前記回線運用情報とが入力され、前記回線運用情報に基づいて前記回線データをそのままの状態で出力する、または固定して出力する信号判別部と、
前記信号判別部から前記回線データがそのままの状態で入力された場合のみ所定の回線処理を行うとともに該回線処理後のデータを出力する回線処理部と
を備えることを特徴とする消費電力低減回路。
【請求項２】
前記信号判別部の前段に、回線処理の同期を取るクロック信号を発生し、前記信号判別部に対して出力するクロック供給部を備えることを特徴とする請求項１に記載の消費電力低減回路。
【請求項３】
前記回線データが、マルチチャンネルデータであることを特徴とする請求項１または２に記載の消費電力低減回路。
【発明の詳細な説明】
【０００１】
【発明の属する技術分野】
この発明は、デジタル通信、データ伝送等の分野に用いる消費電力低減回路に関し、特に伝送路データ処理回路として用いる消費電力低減回路に関する。
【０００２】
【従来の技術】
従来、伝送装置において対向装置より受信した回線データの処理を行う場合、クロック信号を発生するクロック供給部と、クロック信号及び外部からの回線データが入力され、回線処理を行うとともに該回線処理後のデータを出力する回線処理部とを備えて構成され、クロック信号に同期して回線データの処理を行う回線処理回路が用いられている。
【０００３】
このような回線処理回路においては、回線処理部にクロック供給部からのクロック信号及び外部からの回線データを入力する。そして、回線処理部では、入力されたクロック信号に同期して外部からの回線データの回線処理を行い、該回線処理後のデータを出力する。具体的には、入力された回線データからの管理情報やアラーム情報等の抽出や、電送されるべきデータのクロック同期などの処理を行う。
【０００４】
【特許文献１】
特開２００２−２６９０３６号公報（第８頁−第１２頁）
【０００５】
【発明が解決しようとする課題】
ところで、近年、電子機器においては低消費電力化の傾向にある。そのため、電子機器内に搭載される回路についても低消費電力化が検討課題の一つとされている。
【０００６】
電子機器における消費電力の削減という観点においては、例えば半導体集積回路を搭載する非同期転送装置において、回路駆動におけるクロック信号を停止させるものが知られている（例えば、特許文献１参照。）。
【０００７】
しかしながら、前述したような伝送装置の回線処理回路においては、未だ、効果的な低消費電力化が実現されていないのが現状である。その原因の一つとして、回線処理部が受信する回線の運用、非運用の判別を行っていないことがある。このため、回線処理部では、非運用回線データが入力された場合においても不要な回線処理を行うこととなる。
【０００８】
その結果、従来の回線処理回路においては、回線処理が必要ない回線データに対しても回線処理が行われ、この不要な回線処理を行うことにより電力が消費され、消費電力が増大してしまうという問題がある。
【０００９】
この発明は上記に鑑みてなされたもので、不要な回線処理が防止され、低消費電力化が図られた消費電力低減回路を得ることを目的とする。
【００１０】
【課題を解決するための手段】
以上の目的を達成する本発明に係る消費電力低減回路は、外部から入力された回線データの処理を行う回路であって、回線データの運用・非運用を判別する回線運用情報を保持するとともに運用情報制御部からの制御信号に基づいて回線運用情報を出力する回線運用情報保持部と、回線データ及び回線運用情報保持部から出力された回線運用情報とが入力され、回線運用情報に基づいて回線データをそのままの状態で出力する、または固定して出力する信号判別部と、信号判別部から回線データがそのままの状態で入力された場合のみ所定の回線処理を行うとともに該回線処理後のデータを出力する回線処理部とを備えることを特徴とする。
【００１１】
以上のように構成された本発明に係る消費電力低減回路では、回線運用情報保持部において保持及び出力され、回線データの運用・非運用を判別する回線運用情報に基づいて、信号判別部に入力された回線データの「運用」、「非運用」の判別を行う。
【００１２】
すなわち、信号判別部は、回線運用情報保持部から回線運用情報として回線データの「運用」を指示する情報が入力された場合は、外部からの回線データを回線処理部に対してスルー出力する。すなわち、外部からの回線データをそのままの状態で回線処理部に対して出力する。
【００１３】
そして、回線処理部では、信号判別部から入力された回線データに対して所定の回線処理を行い、該回線処理後のデータを処理後の出力データとして次工程の回路等に対して出力する。
【００１４】
また、信号判別部は、回線運用情報保持部から回線運用情報として「非運用」を指示する情報が入力された場合は、外部からの回線データをＨＩＧＨレベルまたはＬＯＷレベルに固定した状態で回線処理部に対して出力する。
【００１５】
このとき、回線処理部には外部からの回線データが固定レベルの状態で入力されるため、該回線処理部内の回路は動作せず、回線処理部においては回線処理が行われない。
【００１６】
したがって、本発明に係る消費電力低減回路においては、回線データの「運用」、「非運用」の判別を行い、「運用」されるべき回線データが入力された場合のみ所定の回線処理を行うとともに該回線処理後のデータを出力することにより、非運用回線が入力された際の不要な回線処理を無くすことが可能である。これにより、不要な回線処理を行うことで発生する不要な消費電力を削減することが可能である。
【００１７】
また、上述した消費電力低減回路においては、信号判別部の前段に、回線処理の同期を取るクロック信号を発生し、信号判別部に対して出力するクロック供給部を備えることが好ましい。これにより、回線処理をクロック信号に同期させることができ、良好な回線処理を行うことができる。
【００１８】
【発明の実施の形態】
以下に添付図面を参照して、この発明に係る消費電力低減回路の好適な実施の形態を詳細に説明する。なお、本発明は以下の記述に限定されるものではなく、本発明の要旨を逸脱しない範囲において適宜変更可能である。
【００１９】
図１は、この発明の実施の形態であり、伝送装置の受信回線データ処理部の回線処理回路である消費電力低減回路の構成を示したブロック図である。図１に示すように、本実施の形態に係る消費電力低減回路は、クロック供給部１と、信号判別部４と、回線運用情報保持部５と、回線処理部９と、運用情報制御部１１とを備えて構成されている。
【００２０】
クロック供給部１は、後述する回線処理部９で同期を取るためのクロック信号２を発生し、信号判別部４に対して出力するものである。
【００２１】
回線運用情報保持部５は、信号判別部４に入力される外部からの回線データ３の「運用」または「非運用」を判別する回線運用情報６を保持している。そして、信号判別部４に入力された回線データ３が「運用」されるべきデータである場合には、回線運用情報保持部５は、回線データ３が信号判別部４に入力されるタイミングで運用情報制御部１１から回線運用情報保持部５に入力される制御信号１２に基づいて、回線データの「運用」を指示する「運用」情報を回線運用情報６として信号判別部４に対して出力する。また、信号判別部４に入力された回線データ３が「非運用」である、すなわち運用される必要がない場合には、回線データの「非運用」を指示する「非運用」情報を回線運用情報６として信号判別部４に対して出力する。
【００２２】
信号判別部４は、クロック供給部１からのクロック信号２、外部からの回線データ３、及び回線運用情報保持部５からの回線運用情報６を受信し、以下に述べる所定の処理を行う。
【００２３】
すなわち、回線運用情報保持部５から回線運用情報６として「運用」情報を受信した場合は、信号判別部４は、クロック信号２及び外部からの回線データ３を回線処理部９に対してスルー出力、すなわち、そのままの状態で出力する。
【００２４】
また、回線運用情報保持部５から回線運用情報６として「非運用」情報を受信した場合は、信号判別部４は、クロック信号２及び外部からの回線データ３をＨＩＧＨレベルまたはＬＯＷレベルに固定した状態で出力する。
【００２５】
回線処理部９は、信号判別部４からの入力信号、すなわち回線データ３に対して、回線データ３が「運用」されるべきデータである場合のみ所定の回線処理を行い、該回線処理後のデータを出力する。
【００２６】
次に、回線データ３がシングルチャンネルである場合を例にとって、この消費電力低減回路の動作について説明する。まず、クロック供給部１において、回線処理部９で同期を取るためのクロック信号２を発生する。そして、クロック供給部１では、該クロック信号２を信号判別部４に対して出力する。
【００２７】
信号判別部４では、信号判別部４から出力されたクロック信号２を受信する。また、信号判別部４には、クロック信号２以外に、外部からの回線データ３が入力されるとともに外部からの回線データ３の「運用」、「非運用」の判別をする回線運用情報６が回線運用情報保持部５から入力される。信号判別部４への回線運用情報６の入力は、回線データ３が信号判別部４に入力されるタイミングで運用情報制御部１１から回線運用情報保持部５に入力される制御信号１２に基づいて行われる。
【００２８】
信号判別部４では、これらの入力を回線処理部９に対して出力するが、回線運用情報保持部５からの回線運用情報６に基づき、回線処理部９に対する出力の形態を異ならせる。すなわち、信号判別部４では、回線運用情報６の種類により異なる出力処理がなされる。
【００２９】
具体的には、信号判別部４は、回線運用情報保持部５から回線運用情報６として「運用」情報が入力された場合は、クロック信号２及び外部からの回線データ３を回線処理部９に対してスルー出力する。すなわち、信号判別部４は、クロック信号２及び外部からの回線データ３をそのままの状態で、クロック信号７及び回線データ８として回線処理部９に対して出力する。
【００３０】
この場合、回線処理部９では、信号判別部４から入力されたクロック信号７に同期を取り、信号判別部４から入力された回線データ８に対して所定の回線処理を行う。そして、回線処理部９は、該回線処理後のデータを処理後の出力データ１０として図示しない次工程の回路等に対して出力する。
【００３１】
また、信号判別部４は、回線運用情報保持部５から回線運用情報６として「非運用」情報が入力された場合は、クロック信号２及び外部からの回線データ３をＨＩＧＨレベルまたはＬＯＷレベルに固定した状態で、クロック信号７及び回線データ８として回線処理部９に対して出力する。
【００３２】
この場合、回線処理部９には信号判別部４からのクロック信号７及び外部からの回線データ８が固定レベルの状態で入力されるため、該回線処理部９内の回路は動作せず、回線処理部９においては回線処理が行われない。したがって、処理後の出力データ１０も出力されない。
【００３３】
上述したように、この消費電力低減回路では、信号判別部４に回線運用情報６として外部からの回線データ３を運用する「運用」情報が入力された場合は、回線処理部９では回線データ８の回線処理を行う。一方、信号判別部４に回線運用情報６として外部からの回線データ３を運用しない「非運用」情報が入力された場合は、回線処理部９では回線データ８の回線処理を行わない。
【００３４】
従来の一例である、図２の回線処理回路の場合には、クロック供給部１と回線処理部９を有することは上述した消費電力低減回路と同様であるが、この回線処理回路は、上述した本発明に係る消費電力低減回路のように信号判別部４及び回線運用情報保持部５を具備しない。
【００３５】
すなわち、従来の回線処理回路では、外部からの回線データ３のそれぞれに対して「運用」、「非運用」の判別を行うことができない。このため、回線処理部９では、入力された全ての回線データ３に対して回線処理を行うこととなる。したがって、従来の回線処理回路では、不要な回線処理により消費電力が増加してしまう。
【００３６】
しかしながら、本発明に係る消費電力低減回路においては、外部からの回線データ３のそれぞれに対して「運用」、「非運用」の判別を行い、回線処理が不要な非運用回線データが入力された場合には回線処理部９において回線処理を行わせないように制御する。これにより、非運用回線が入力された際の不要な回線処理を無くすことが可能であり、該不要な回線処理を行うことで発生する不要な消費電力を削減することが可能である。
【００３７】
したがって、本発明によれば、不要な消費電力を削減し、低消費電力化が図られた消費電力低減回路を実現することができる。
【００３８】
また、上記においては外部からの回線データ３がシングルチャンネルである場合について説明したが、本発明はこれに限定されるものではない。例えば、外部からの回線データ３が所定の長さを有するフレームに複数のデータが保持されたマルチチャンネルであってもよい。
【００３９】
この場合は、外部からの回線データ３のフレーム内に保持された複数のデータのそれぞれが信号判別部４に入力されるタイミングで、各データに対応した回線運用情報６が回線運用情報保持部５から信号判別部４に入力される。回線運用情報６の入力は、運用情報制御部１１から入力される制御信号１２に基づいて行われる。これにより、上述した回線データ３がシングルチャンネルである場合と同様に、回線データ３の「運用」、「非運用」の判別を行うことが可能であり、上述した本発明の効果を得ることができる。したがって、本発明は、情報量の少ない回線データから情報量の多い回線データまで、幅広い形態の回線データの回線処理に対して適用可能である。
【００４０】
なお、本発明に係る消費電力低減回路の用途は、特に限定されることはなく、対向装置より受信した回線データの処理を行う伝送装置であれば、種々の装置において使用可能である。
【００４１】
【発明の効果】
以上説明したように、本発明に係る消費電力低減回路によれば、回線データの「運用」、「非運用」の判別を行って運用回線データが入力された場合のみ所定の回線処理を行わせることにより、非運用回線が入力された際の不要な回線処理を無くすことが可能である。これにより、不要な回線処理を行うことで発生する不要な消費電力を削減することが可能である。したがって、本発明によれば、不要な消費電力を削減し、低消費電力化が図られた消費電力低減回路を提供することができる。
【図面の簡単な説明】
【図１】本発明に係る消費電力低減回路の構成を示すブロック図である。
【図２】従来の回線処理回路の構成の一例を示すブロック図である。
【符号の説明】
１  クロック供給部、２  クロック信号、３  外部からの回線データ、４  信号判別部、５  回線運用情報保持部、６  回線運用情報、７  クロック信号、８回線データ、９  回線処理部、１０  処理後の出力データ。
【図１】
2004213403.tif 000003
【図２】
2004213403.tif 000004